(57)【要約】【課題】本発明は、ツイストロック式注射器の口部の突出量などにばらつきがある場合でも、薬液注入時の薬液の漏れを確実に防ぐことができ、かつ、薬液注入時のデッドスペースを小さくすることができる注入用の注射器接続ポートを提供することを目的としている。【解決手段】本発明の注射器接続ポート１０は、シール弁体１１と、ツイストロック式注射器の口部が挿入可能なスリーブ部３４と、スリーブ部３４に装着したシール部材１３とからなる。シール部材１３は、ゴム製の略円筒状の部材で、その上端には、円板状のフランジ部３７を設けている。このフランジ部３７は、ツイストロック式注射器６００の口部６０２を挿入したときに、口部の挿入量にばらつきがあってもツイストロック式注射器６００の口部６０２の先端に液密に密着する。また、シール部材１３の内周は薬液の流路３８になっており、薬液注入時の薬液の流路のデッドスペースが小さい。【選択図】　　　　　　図１
2004033360.tif 000002
【特許請求の範囲】
【請求項１】
容器又は配管の開口部に装着した、中央部に常時は圧着密閉状態の弁孔を有するゴム製のシール弁体と、
前記容器又は配管の開口部を囲むように設けた、ツイストロック式注射器の口部が挿入可能なスリーブ部と、
前記スリーブ部内に装着した弾性材料からなる管状のシール部材とを備え、
前記ツイストロック式注射器の口部をスリーブ部に挿入した状態において、ツイストロック式注射器の口部の先端が前記管状のシール部材の上端に液密に圧着し、かつ、ツイストロック式注射器の口部の先端からシール弁体の弁孔に至る流路を形成し、ツイストロック式注射器内の薬液を注入するときに、ツイストロック式注射器の注入時の液圧でシール弁体の弁孔の圧着密閉状態が解除されて、ツイストロック式注射器から容器又は配管内への薬液を注入することを特徴とする注入用注射器接続ポート。
【請求項２】
前記シール部材の上端と下端にフランジ部を設けたことを特徴とする請求項１に記載の注入用注射器接続ポート。
【請求項３】
容器又は配管の開口部に装着した、中央部に常時は圧着密閉状態の弁孔を有するゴム製のシール弁体と、
前記容器又は配管の開口部を囲むように設けた、ツイストロック式注射器の口部が挿入可能なスリーブ部と、
前記シール弁体の上に配設した基部と、前記基部からスリーブ部内に挿入した凸部と、前記凸部の先端から基部を貫通するように形成した流路を備えた弾性材料からなるシール部材とを備え、
ツイストロック式注射器の口部を挿入した状態において、ツイストロック式注射器の口部の先端に前記シール部材の凸部の先端が密着し、かつ、前記シール部材の流路を通してツイストロック式注射器の口部の先端からシール弁体の弁孔に至る流路を形成し、ツイストロック式注射器内の薬液を注入するときに、ツイストロック式注射器の注入時の液圧でシール弁体の弁孔の圧着密閉状態が解除されて、ツイストロック式注射器から容器又は配管内への薬液を注入することを特徴とする注入用注射器接続ポート。
【請求項４】
前記シール部材の基部の下面とシール弁体の上面との間に、常時は所定の隙間を設けていることを特徴とする請求項３に記載の注入用注射器接続ポート。
【発明の詳細な説明】
【０００１】
【発明の属する技術分野】
本発明は、容器又は配管の開口に設けられ、注射器を容器又は配管に接続するための注射器接続ポートに関し、特に注射器から容器又は配管内へ、一方向に流体を注入することができるものに関するものである。
【０００２】
【従来の技術】
従来、薬液の点滴や人工透析に用いられる輸液配管に取り付けられ、輸液の抽出や薬液の混入などを行う混注管５０１は、図１１に示すように、その分岐部５０２に設けられた開口５０３に気密に嵌合したゴム栓５０４と、ゴム栓５０４を被覆して開口５０３の外周フランジ部５０５に固着させたキャップ５０６とで構成されている。輸液配管を流れる輸液（図示省略）を注射器５０７で抽出する時は、キャップ５０６の中心を剥離除去し、（あるいは、予めキャップ５０６の中心部に設けた開口から）ゴム栓５０４に注射針５０８を突き刺して内部の薬液を抽出している。
【０００３】
また、医療現場では注射器の安全性を向上させるために、図１２（ａ）に示すように、注射針６０１を注射器の口部６０２に螺合させ、注射針６０１の脱落を防止することができるツイストロック式注射器（シリンジ）６００が採用されつつある。ツイストロック式注射器６００は、図１２（ｂ）に示すように、押子６０３と、押子６０３が装入されるシリンダ部６０４と、シリンダ部６０４からオステーパ状に突出した口部６０２と、口部６０２の周りに円筒状に延在したカラー６０５と、カラー６０５の内周面に形成された雌ねじ部６０６とを備えている。ツイストロック式注射器６００の注射針６０１は、図１２（ｃ）に示すように、ハブ部６０７の先端部に針６０８が取り付けてあり、基端部にメステーパ状の装着部６０９があり、その基端部端縁の外周に螺合片６１０が設けられている。注射針６０１は、図１２（ａ）に示すように、ツイストロック式注射器６００の雌ねじ部６０６に螺合片６１０を螺合させ、かつ、ツイストロック式注射器６００の口部６０２に、注射針６０１の装着部６０９を装着させて取り付ける。
【０００４】
上述した混注管の開口のシール構造では、ゴム栓に突き刺す注射針が必要である。しかし、注射針の使用は、注射針の購入費の他に、使用済みの注射針の管理を怠れば院内感染など、重大な医療事故の原因となるので、使用済み注射針の廃棄処分に十分な配慮が必要であり、コスト面での負担や、管理面での負担を負うことになり、また使用済み注射針を誤って使用するなど不慮の医療事故のリスクを負うことになる。
【０００５】
また、注射針を取り付けないで注射器の口部をそのまま薬液瓶や混注管の開口に刺し込めれば、注射針の使用が不要になり上記の問題は解消される。また、通常の注射器の口部を刺し込めるようにしただけでなく、ツイストロック式の注射器のように口部の周りにカラーがあるものも使えることが望ましい。
【０００６】
【発明が解決しようとする課題】
本発明者らは、ツイストロック式注射器をニードルレスで使用することができる注射器接続ポートを提案しており、本出願の出願時においては未公開であるが、ツイストロック式注射器から容器又は配管に薬液を注入する場合に用いる注入用の注射器接続ポートを提案している。
【０００７】
本発明者らが提案する注射器接続ポートの一つは、図１３に示すように、容器又は配管（例えば、混注管７００）の開口部７０１に装着した、中央部に常時は圧着密閉状態の弁孔７０２を有するゴム製のシール弁体７０３と、混注管７００の開口部７０１を臨むことができるように設け、かつ、ツイストロック式注射器６００の口部６０２を嵌入することができるスリーブ部７０４とを備えており、図１４に示すように、スリーブ部７０４にツイストロック式注射器６００の口部６０２を嵌入し、ツイストロック式注射器６００の注入時の液圧でシール弁体７０３の弁孔７０２の圧着密閉状態を解除して、ツイストロック式注射器６００から混注管７００内に流体を注入することができるものであった。
【０００８】
この注射器接続ポートの改良すべき第一の問題点は、ツイストロック式注射器の口部と、スリーブ部の内周面との間に隙間があると、ツイストロック式注射器で薬液を注入する際に、薬液が漏れる可能性があるという点である。
【０００９】
この問題点に関し、通常は、スリーブ部の内周面をツイストロック式注射器の口部のテーパ形状に合わせて、雌テーパ形状にしておけば薬液の漏れを防ぐことができる。しかし、ガラス製のツイストロック式注射器では、製造上の問題により、ツイストロック式注射器の口部の口径などにばらつきがあり、ツイストロック式注射器の口部と、スリーブ部の内周面との間に隙間ができる可能性があった。
【００１０】
また、この注射器接続ポートの改良すべき第二の問題点は、ツイストロック式注射器の口部の先端から、スリーブ内、及び、シール弁に囲まれた領域が、薬液注入時のデッドスペースになるが、薬液の注入量の誤差を少なくするために、このデッドスペースをできる限り小さくしたいという問題である。上述のようにガラス製のツイストロック式注射器では、製造上の問題により、ツイストロック式注射器の口部の口径などにばらつきがあるため、口部の挿入量にばらつきがあり、デッドスペースが大きくなる場合があった。
【００１１】
そこで、本発明は、ツイストロック式注射器の口部の挿入量などにばらつきがある場合でも、薬液注入時の薬液の漏れを確実に防ぐことができ、かつ、薬液注入時のデッドスペースを小さくすることができる注入用の注射器接続ポートを提供することを目的としている。
【００１２】
【課題を解決するための手段】
請求項１に記載の注入用注射器接続ポートは、容器又は配管の開口部に装着した、中央部に常時は圧着密閉状態の弁孔を有するゴム製のシール弁体と、前記容器又は配管の開口部を囲むように設けた、ツイストロック式注射器の口部が挿入可能なスリーブ部と、前記スリーブ部内に装着した弾性材料からなる管状のシール部材とを備え、前記ツイストロック式注射器の口部をスリーブ部に挿入した状態において、ツイストロック式注射器の口部の先端が前記管状のシール部材の上端に液密に圧着し、かつ、ツイストロック式注射器の口部の先端からシール弁体の弁孔に至る流路を形成し、ツイストロック式注射器内の薬液を注入するときに、ツイストロック式注射器の注入時の液圧でシール弁体の弁孔の圧着密閉状態が解除されて、ツイストロック式注射器から容器又は配管内への薬液を注入することを特徴としている。この注入用注射器接続ポートは、スリーブ部内に弾性材料からなる管状のシール部材を装着しており、ツイストロック式注射器の口部をスリーブ部に挿入した状態において、ツイストロック式注射器の口部の先端が前記管状のシール部材の上端に液密に圧着するので、薬液注入時の薬液の漏れを確実に防ぐことができる。また、シール部材は、ツイストロック式注射器の口部の先端からシール弁体の弁孔に至る流路を形成するので、薬液注入時のデッドスペースを小さくすることができる。
【００１３】
請求項２に記載の注入用注射器接続ポートは、前記シール部材の上端と下端にフランジ部を設けたことを特徴としている。管状のシール部材の上端と下端に設けたフランジ部により、管状のシール部材の上端および下端からも漏れが生じにくくなるので、薬液注入時の薬液の漏れを確実に防ぐことができる。
【００１４】
請求項３に記載の注入用注射器接続ポートは、容器又は配管の開口部に装着した、中央部に常時は圧着密閉状態の弁孔を有するゴム製のシール弁体と、前記容器又は配管の開口部を囲むように設けた、ツイストロック式注射器の口部が挿入可能なスリーブ部と、前記シール弁体の上に配設した基部と、前記基部からスリーブ部内に挿入した凸部と、前記凸部の先端から基部を貫通するように形成した流路を備えた弾性材料からなるシール部材とを備え、ツイストロック式注射器の口部を挿入した状態において、ツイストロック式注射器の口部の先端に前記シール部材の凸部の先端が密着し、かつ、前記シール部材の流路を通してツイストロック式注射器の口部の先端からシール弁体の弁孔に至る流路を形成し、ツイストロック式注射器内の薬液を注入するときに、ツイストロック式注射器の注入時の液圧でシール弁体の弁孔の圧着密閉状態が解除されて、ツイストロック式注射器から容器又は配管内への薬液を注入することを特徴としている。この注入用注射器接続ポートは、スリーブ部内に弾性材料からなるシール部材の凸部を挿入しており、ツイストロック式注射器の口部をスリーブ部に挿入した状態において、ツイストロック式注射器の口部の先端が前記シール部材の凸部の先端に液密に圧着するので、薬液注入時の薬液の漏れを確実に防ぐことができる。また、このシール部材は、ツイストロック式注射器の口部の先端からシール弁体の弁孔に至る流路を形成するので、薬液注入時のデッドスペースを小さくすることができる。
【００１５】
請求項４に記載の注入用注射器接続ポートは、前記シール部材の基部の下面とシール弁体の上面との間に、常時は所定の隙間を設けているので、ツイストロック式注射器の口部をスリーブ部に挿入した状態において、シール部材が下方に変形した場合でもシール弁体の変形を抑えることができる。
【００１６】
【発明の実施の形態】
以下、本発明に係る注入用注射器接続ポートの実施形態を図面に基づいて説明する。
【００１７】
本発明の第１実施形態に係る注入用注射器接続ポート１０は、図１に示すように、シール弁体１１と、ツイストロック式注射器の口部が挿入可能なスリーブ部３４を備えたキャップ部材１２と、スリーブ部３４内に装着されたシール部材１３とからなり、混注管２００に設けたものである。この注入用注射器接続ポート１０は、スリーブ部３４内に装着したシール部材１３によって、薬液注入時の薬液の漏れを防ぎ、かつ、薬液注入時のデッドスペースを小さくしている。以下、この注入用注射器接続ポート１０を詳述する。
【００１８】
混注管２００は、図１及び図２（ａ）（ｂ）に示すように、輸液配管の途中に設けた配管で、両端に輸液配管の２つの管２０１、２０２を接続する接続部２０３、２０４を備えている。混注管２００の中央には分岐部２０５があり、この分岐部２０５を臨むように開口２０６が形成されている。この開口２０６には注射器接続ポート１０の後述するシール弁体１１を装着する円筒状の壁部２０７と、シール弁体１１を着座させる着座部２０８がある。壁部２０７の上端外周縁には、注射器接続ポート１０の後述するキャップ部材１２を装着するための外周フランジ部２０９が外径方向に突出している。
【００１９】
シール弁体１１は、図３（ａ）（ｂ）に示すように、シリコーンゴムなどの弾性体で形成した略円板状の部材であり、シール弁体１１の中央部に弁孔１５を形成している。
【００２０】
弁孔１５は、図３（ｃ）に拡大して示すように、（混注管２００の開口部２０６に装着するときに混注管２００の外側に向くように配設する）シール弁体１１の上面１６に所定深さの溝１７を直線状に形成し、この溝１７の底部に、（混注管２００の開口部２０６に装着したときに混注管２００の内側に向くように配設する）シール弁体１１の下面１８に貫通した小径孔１９を形成したものである。
【００２１】
溝１７の長手方向の両端部１７ａは、図３（ｄ）に拡大して示すように、Ｖ字に切り込まれている。これにより弁孔１５を圧着密閉状態にしたときに、溝１７の両端部１７ａの締まりがよく、液体の沁み出しや漏れを抑制できる。
【００２２】
シール弁体１１の中央部に形成された溝１７の深さは、シール弁体１１の中央部の厚さの１／２〜４／５程度であることが望ましい。この溝１７は、シール弁体１１を成形する金型成形時に形成するとよい。また、シール弁体１１の溝１７の底部に形成される小径孔１９は、円錐形状の針を突き刺して形成すると、小径孔１９の開口部にシリコーンゴムの切屑が生じず、小径孔１９の開口がきれいに仕上がる。シール弁体１１は、混注管２００の開口２０６の円筒状壁部２０７に圧入できるように、外径２０を当該円筒状壁部２０７の内径よりも少し大きくしている。また、シール弁体１１の上面１６および下面１８の中央部をそれぞれアーチ型凹部形状２１、２２にしている。
【００２３】
このシール弁体１１は、図４に示すように、混注管２００に装着すると、混注管２００の円筒状壁部２０７によって内径方向に圧縮されるので、シール弁体１１の中央部に矢印方向の大きな圧縮応力が発生する。さらに、シール弁体１１の中央部は、上面１６及び下面１８の中央部をそれぞれアーチ型凹部形状２１、２２にしているので、弁孔１５の近傍ではより大きな圧縮応力が作用する。特に、シール弁体１１の中央部は、上面１６側よりも小径孔１９が形成されているシール弁体１１の下面１８側に、より大きな圧縮応力が発生している。シール弁体１１の弁孔１５は、この圧縮応力により、圧着密閉状態になっている。
【００２４】
次に、キャップ部材１２は、混注管２００の開口２０６の壁部２０７の上端及びシール弁体１１の上面を覆い、かつ、混注管２００の外周フランジ部２０９に装着した部材である。キャップ部材１２の下面３１の中央は、シール本体１１の上面１６のアーチ型凹部形状２１に対応したアーチ型凸部形状３２になっており、その中心部にシール本体１１の弁孔１５を臨める開口３３を形成している。また、キャップ部材１２の上部には、この開口３３を囲うようにツイストロック式注射器６００の口部６０２を挿入することができるスリーブ部３４を立設している。
【００２５】
スリーブ部３４は、ツイストロック式注射器６００の口部６０２とカラー６０５との間の円形溝領域６１１（図１２（ｂ）参照）を装入することができる内外径を有している。
スリーブ部３４の底には、上述したようにキャップ部材１２の下面３１の中央部に形成した開口３３があり、その開口３３からシール本体１１の圧着密閉状態の弁孔１５が臨めるようになっている。スリーブ部３４の上端外周面には、ツイストロック式注射器６００の雌ねじ部６０６を螺合させる螺合片３５を突設している。スリーブ部３４の内周面は、標準的なツイストロック式注射器６００の口部６０２の雄テーパ形状に対応した雌テーパ形状になっている。なお、キャップ部材４２は、例えばポリプロピレンなどのプラスチック製の材料で成形されている。
【００２６】
次に、シール部材１３は、ゴム製の略円筒状の部材で、その下端に円板状のフランジ部３６を設けており、スリーブ部３４の底に設置している。また、シール部材１３の上端にも、円板状のフランジ部３７を設けている。この上端のフランジ部３７は、後述するように、ツイストロック式注射器６００の口部６０２を挿入したときに、ツイストロック式注射器６００の口部６０２の先端に液密に密着する。また、シール部材１３の内周は薬液の流路３８になっている。シール部材１３は、図５に示すように、ツイストロック式注射器６００の口部６０２がスリーブ部３４に挿し込まれたときに、確実に、口部６０２の挿入量のばらつきを吸収して、シール部材１３の上端がツイストロック式注射器６００の口部６０２の先端に液密に密着するように所要の高さを備えている。
【００２７】
この注入用注射器接続ポート１０は、図６に示すように、ツイストロック式注射器６００の口部６０２をスリーブ部３４に挿し込んだ状態で、ツイストロック式注射器６００の押子６０３を押し込む。これにより、ツイストロック式注射器６００の注入時の液圧でシール弁体１３の弁孔１５の近傍部分を下方に撓ませ、弁孔１５の圧着密閉状態を解除して、ツイストロック式注射器６００から混注管２００内への流体を注入することができる。このとき、薬液は、シール部材１３の流路３８と、キャップ部材１２の下面の開口３３と、シール弁体１１の弁孔１５を通って注入される。
【００２８】
ツイストロック式注射器６００の口部６０２の挿入量は、ガラス製のツイストロック式注射器６００では、口部６０２の口径のばらつきにより、口部６０２の挿入量にばらつきがある。この注入用注射器接続ポート１０によれば、図５に示すように、ツイストロック式注射器６００の口部６０２をスリーブ部３４に挿し込むと、シール部材１３の上端がツイストロック式注射器６００の口部６０２の先端に液密に密着するので、注入時の液漏れを防止することができる。
【００２９】
また、このシール部材１３は、ゴム製であるので、ツイストロック式注射器６００の口部６０２の挿入量に応じて、ツイストロック式注射器６００よって下方に弾性的に撓む。これにより、ツイストロック式注射器６００の口部６０２の挿入量や外形形状にばらつきがある場合でも、注入時にツイストロック式注射器６００の口部６０２から薬液が漏れるのを確実に防止することができる。
【００３０】
また、この注射器接続ポート１０は、シール部材１３によって流路を形成しているので、薬液が注入される流路に無駄なスペースが少ない。すなわち、薬液注入時の薬液の流路にデッドスペースを小さくすることができるので、薬液の注入量が調節し易く、また注入しきれない薬液の量を低減させることができる。
【００３１】
次に、第２実施形態に係る注入用注射器接続ポートを説明する。なお、第１実施形態の注入用注射器接続ポート１０と同一の部材には同一の符号を付して説明を省略する。
【００３２】
この注射器接続ポート４０は、図７に示すように、シール弁体１１と、ツイストロック式注射器６００の口部６０２が挿入可能なスリーブ部を備えたキャップ部材４１と、シール弁体１１とキャップ部材４１との間に装着されたシール部材４２とからなり、混注管２００に設けたものである。シール弁体１１の構造は、第１実施形態のものと同じであるので説明を省略する。
【００３３】
キャップ部材４１は、混注管２００の開口部６０２の外周フランジ部２０９に装着される部材で、混注管２００の開口部６０２を覆うキャップ部材４１の下面と、混注管２００の開口部６０２に装着されるシール弁体１１の上面１６との間に、後述するシール部材４２を装着することができるようになっている。キャップ部材４１の中央部には、開口４３が形成してあり、この開口４３を囲うようにツイストロック式注射器６００の口部６０２を挿入することができるスリーブ部４４を立設している。
【００３４】
スリーブ部４４は、ツイストロック式注射器６００の口部６０２とカラー６０５との間の円形溝領域６１１（図１２（ｂ）参照）を装入することができる内外径を有している。
スリーブ部４４の上端外周面には、ツイストロック式注射器６００の雌ねじ部６０６を螺合させる螺合片４５を突設している。スリーブ部４４の内周面は、標準的なツイストロック式注射器６００の口部６０２の雄テーパ形状に対応した雌テーパ形状になっている。なお、キャップ部材４１は、例えばポリプロピレンなどのプラスチック製の材料で成形されている。
【００３５】
この注入用注射器接続ポート４０のシール部材４２は、シール弁体１１と同様に、ゴム製の部材であり、シール弁体１１の上面１６及び混注管２００の開口部６０２の壁部２０７の上端面と、キャップ部材４１の下面１８との間に配設した円盤状の基部４６と、この基部４６の中央上面からスリーブ部４４の内部に突出させた凸部４７とを備えている。
この凸部４７には上端４８から基部４６の下面に貫通した流路４９を形成している。また、シール部材４２の基部４６の下面と、シール弁体１１の上面との間には、若干の空隙５０を設けている。
【００３６】
この注入用注射器接続ポート４０は、図８に示すように、ツイストロック式注射器６００の口部６０２をスリーブ部４４に挿し込むと、シール部材４２の凸部４７の上端４８が、ツイストロック式注射器６００の口部６０２の先端に密着し、かつ、シール部材４２は、ツイストロック式注射器６００の口部６０２の挿入量に応じて、ツイストロック式注射器６００よって下方に弾性的に撓む。このとき、シール部材４２の基部４６が下方に撓み、シール部材４２の基部４６の下面とシール弁体１１の上面との間の空隙５０は無くなる。そして、シール部材４２の基部４６の下面がシール弁体１１の上面に液密に密着した状態になる。このとき、ツイストロック式注射器６００の口部６０２の挿入量が大きいと、シール弁体１１はシール部材４２の基部４６の撓みに応じて少し下方に変形する。
【００３７】
この注入用注射器接続ポート４０は、図９に示すように、ツイストロック式注射器６００の口部６０２をスリーブ部４４に挿し込んだ状態で、ツイストロック式注射器６００の押子６０３を押し込む。これにより、ツイストロック式注射器６００の注入時の液圧でシール弁体１３の弁孔１５の近傍部分を下方に撓ませ、弁孔１５の圧着密閉状態を解除して、ツイストロック式注射器６００から混注管２００内への流体を注入することができる。このとき、薬液は、シール部材４２の流路４９と、シール弁体１１の弁孔１５を通って注入される。
【００３８】
ツイストロック式注射器６００の口部６０２の挿入量は、ガラス製のツイストロック式注射器６００では、口部６０２の口径のばらつきにより、口部６０２の挿入量にばらつきがある。この注入用注射器接続ポート４０によれば、ツイストロック式注射器６００の口部６０２をスリーブ部４４に挿し込むと、シール部材４２の凸部４７の上端４８が、ツイストロック式注射器６００の口部６０２の先端に密着するので、ツイストロック式注射器６００の口部６０２の挿入量にばらつきがある場合でも、薬液注入時の液漏れを防止することができる。
【００３９】
また、この注入用注射器接続ポート４０は、シール部材４２の流路４９によって流体の流路を形成しているので、薬液が注入される流路に無駄なスペースが少ない。
すなわち、薬液注入時の薬液の流路にデッドスペースを小さくすることができるので、薬液の注入量が調節し易く、また注入しきれない薬液の量を低減させることができる。
【００４０】
また、この注入用注射器接続ポート４０は、常時は、シール部材４２の基部４６の下面とシール弁体１１の上面との間に空隙５０を設けて置くことにより、ツイストロック式注射器６００の口部６０２を挿入したときに、シール部材４２の基部４６の下面がシール弁体１１の上面に密着してから、シール弁体１１が変形するので、ツイストロック式注射器６００の口部６０２を挿入したときのシール弁体１１の変形を小さくすることができる。
【００４１】
以上、本発明の注入用注射器接続ポートの実施形態を説明したが、本発明の注射器接続ポートは、上記の実施形態に限定されるものではない。
【００４２】
例えば、注射器接続ポートには、図１０に示すように、スリーブ部６０の上端を覆うようにゴム弁６１を付けても良い。このゴム弁６１は、スリーブ部６０の上端開口６３を覆う上面部６４と、スリーブ部６１の上部外周面６５を覆う側壁部６６とからなる逆コップ状の部材とし、かつ、ゴム弁６１の側壁部６６にスリーブ部６１の螺合片６７に係合する係合穴６８を設けて、スリーブ部６０の上端にゴム弁６１を設けたものである。
このゴム弁６１の上面部６４には、常時は閉鎖状態の小径孔６９を形成している。この小径孔６９は、ツイストロック式注射器６００の口部６０２を挿し込んだときに開口する。このゴム弁６１により、スリーブ部６０からツイストロック式注射器６００の口部６０２を抜いたときに、ゴム弁６１の上面６４に液溜まりが生じる場合があるが、この場合、液溜まりはゴム弁６１の上面６４にあるので簡単に拭き取ることができる。
【００４３】
【発明の効果】
請求項１に記載の注入用注射器接続ポートは、スリーブ部内に弾性材料からなる管状のシール部材を装着しており、ツイストロック式注射器の口部をスリーブ部に挿入した状態において、口部の挿入量にばらつきがあってもツイストロック式注射器の口部の先端が管状のシール部材の上端に液密に圧着するので、薬液注入時の薬液の漏れを確実に防ぐことができる。また、シール部材は、ツイストロック式注射器の口部の先端からシール弁体の弁孔に至る流路を形成するので、薬液注入時のデッドスペースを小さくすることができる。
【００４４】
請求項２に記載の注入用注射器接続ポートは、管状のシール部材の上端と下端に設けたフランジ部により、管状のシール部材の上端および下端からも漏れが生じにくくなるので、薬液注入時の薬液の漏れをより確実に防ぐことができる。
【００４５】
請求項３に記載の注入用注射器接続ポートは、シール弁体の上に配設した基部と、基部からスリーブ部内に挿入した凸部と、凸部の先端から基部を貫通するように形成した流路を備えた弾性材料からなるシール部材とを備えており、ツイストロック式注射器の口部をスリーブ部に挿入した状態において、口部の挿入量にばらつきがあってもツイストロック式注射器の口部の先端がシール部材の凸部の先端に液密に圧着するので、薬液注入時の薬液の漏れを確実に防ぐことができる。また、このシール部材は、ツイストロック式注射器の口部の先端からシール弁体の弁孔に至る流路を形成するので、薬液注入時のデッドスペースを小さくすることができる。
【００４６】
請求項４に記載の注入用注射器接続ポートは、シール部材の基部の下面とシール弁体の上面との間に、常時は所定の隙間を設けているので、ツイストロック式注射器の口部をスリーブ部に挿入した状態において、シール部材が下方に変形した場合でもシール弁体の変形を抑えることができる。
【図面の簡単な説明】
【図１】本発明の第１実施形態に係る注入用注射器接続ポートの縦断面図である。
【図２】（ａ）は混注管の平面図、（ｂ）は混注管の縦断面図である。
【図３】（ａ）は本発明の位置実施形態に係るシール弁を示す平面図、（ｂ）はシール弁のＡ−Ａ断面図、（ｃ）はシール本体の貫通孔の両端部分の拡大平面図、（ｄ）はシール弁の貫通孔の拡大断面図である。
【図４】混注管に装着した状態でのシール弁体の応力状態を示す図である。
【図５】本発明の第１実施形態に係る注入用注射器接続ポートにツイストロック式注射器の口部を挿し込んだ状態を示す図である。
【図６】本発明の第１実施形態に係る注入用注射器接続ポートに薬液を注入する状態を示す縦断面図である。
【図７】本発明の第２実施形態に係る注射器接続ポートの縦断面図である。
【図８】本発明の第２実施形態に係る注射器接続ポートにツイストロック式注射器の口部を挿し込んだ状態を示す図である。
【図９】本発明の第２実施形態に係る注入用注射器接続ポートに薬液を注入する状態を示す縦断面図である。
【図１０】スリーブ部の上端に取り付けるゴム弁を示す図である。
【図１１】従来の混注管の開口部の構造を示す縦断面図である。
【図１２】（ａ）はツイストロック式注射器を示す縦断面図、（ｂ）はツイストロック式注射器の口部を示す図、（ｃ）はツイストロック式注射器の注射針を示す図である。
【図１３】本発明者らが提案している注入用注射器接続ポートを示す図である。
【図１４】図１３に示す注入用注射器接続ポートの薬液を注入する状態を示す図である。
【符号の説明】
１０　注射器接続ポート
１１　シール弁体
１２　キャップ部材
１３　シール部材
１５　弁孔
３４　スリーブ部
３６　フランジ部
３７　フランジ部
３８　流路
４０　注射器接続ポート
４１　キャップ部材
４２　シール部材
４４　スリーブ部
４６　基部
４７　凸部
４８　上端
４９　流路
５０　空隙
２００　　混注管
６００　　ツイストロック式注射器
６０２　　口部
【図１】
2004033360.tif 000003
【図２】
2004033360.tif 000004
【図３】
2004033360.tif 000005
【図４】
2004033360.tif 000006
【図５】
2004033360.tif 000007
【図６】
2004033360.tif 000008
【図７】
2004033360.tif 000009
【図８】
2004033360.tif 000010
【図９】
2004033360.tif 000011
【図１０】
2004033360.tif 000012
【図１１】
2004033360.tif 000013
【図１２】
2004033360.tif 000014
【図１３】
2004033360.tif 000015
【図１４】
2004033360.tif 000016